(57)【要約】【課題】従来とは異なる構成とすることで、使用者に対して注意を促して誤用が防止できる薬液容器の提供。【解決手段】薬液容器１は、薬液２が収容される中空状の収容部３と、収容部３に首部４を介して連接される蓋部５とを備え、それらが板状のベース６に形成されている。首部４は、ベース６の左右方向中央部から右側へずれた位置に配置されている。首部４と蓋部５との間は、破断可能に連接されており、この連接部とベース６の左右両端辺との間が、ベース６の右端部を残して、線状の薄肉部１４で接続されている。従って、摘み部１５が、薄肉部１４が形成されていないベース６の右端部を支点として、左側から上方へ引き上げられることで、摘み部１５が薄肉部１４に沿って切り離されると共に、蓋部５が首部４から破断されて開封される。【選択図】図１
2012066876.tif 000002
【特許請求の範囲】
【請求項１】
薬液が収容される中空状の収容部と、この収容部と連続される首部を介して前記収容部に連接される蓋部とが、板状のベースに形成されており、
前記首部が前記ベースの左右方向中央部とずれた位置に配置され、
前記首部と前記蓋部との間が破断可能に連接され、この連接部と前記ベースの左右両端辺との間が、前記ベースの内、前記首部が配置された側の一端部を残して、線状の薄肉部で接続されている
ことを特徴とする薬液容器。
【請求項２】
前記ベースは、前記薄肉部より上部が、前記首部と前記蓋部とを切り離す際の摘み部とされており、
前記摘み部は、前記ベースの左右方向一端部を残して切り離された後、前記ベースの板面に対して倒された状態で位置決め可能とされた
ことを特徴とする請求項１に記載の薬液容器。
【請求項３】
前記摘み部は、左右方向他端側の端面が幅広に形成されており、左右方向一端側へ押し込まれて開封される
ことを特徴とする請求項２に記載の薬液容器。
【発明の詳細な説明】
【技術分野】
【０００１】
本発明は、内部に薬液が封入される使い捨ての薬液容器に関するものである。
【背景技術】
【０００２】
出願人は先に、下記特許文献１に開示される薬液容器を提案している。この薬液容器では、容器本体（１）と摘み部（２）とが破断可能に連接されており、容器本体（１）に対して摘み部（２）をねじることで、容器本体（１）から摘み部（２）が切り離されて開封される。ここで、括弧書きの符号は、下記特許文献１中における符号である。
【０００３】
通常、従来のねじって開封する薬液容器内には、点眼に用いられる薬液が封入されている場合が多い。従って、使用者は、点眼液とは異なる薬液が封入されている場合にも、薬液容器の構成から、点眼液が封入されていると勘違いしてしまうおそれがあり、誤用のおそれがあった。たとえば、従来の薬液容器では、ネブライザーに用いられる吸入液が封入されている場合であっても、点眼液が封入されていると勘違いして点眼してしまうおそれがあった。
【０００４】
また、通常、薬液容器には、内部に封入された薬液の種類が表示されている。しかしながら、それでも、薬液容器の構成から、点眼液が封入されていると思い込んでしまうおそれがあり、誤用のおそれがあった。これは、従来のねじって開封する薬液容器内には、点眼液が封入されているものだというイメージが、使用者の中に強くあるためである。
【先行技術文献】
【特許文献】
【０００５】
【特許文献１】特開２００４−８３１１５号公報
【発明の概要】
【発明が解決しようとする課題】
【０００６】
本発明が解決しようとする課題は、従来とは異なる構成とすることで、使用者に対して注意を促して誤用が防止できる薬液容器を提供することにある。
【課題を解決するための手段】
【０００７】
本発明は、前記課題を解決するためになされたもので、請求項１に記載の発明は、薬液が収容される中空状の収容部と、この収容部と連続される首部を介して前記収容部に連接される蓋部とが、板状のベースに形成されており、前記首部が前記ベースの左右方向中央部とずれた位置に配置され、前記首部と前記蓋部との間が破断可能に連接され、この連接部と前記ベースの左右両端辺との間が、前記ベースの内、前記首部が配置された側の一端部を残して、線状の薄肉部で接続されていることを特徴とする薬液容器である。
【０００８】
請求項１に記載の発明によれば、首部は、ベースの左右方向中央部から、左右方向一端側または他端側へずれた位置に配置される。また、首部と蓋部との間は、破断可能に連接され、この連接部とベースの左右両端辺との間は、線状の薄肉部で接続され、薄肉部は、ベースの内、首部が配置された側の一端部を残して形成されている。従って、使用者に対して、点眼液が封入された従来の薬液容器とは構成が異なることを認識させ、容器内に封入された薬液が、点眼液とは異なる種類の薬液であることを注意喚起することができる。
【０００９】
請求項２に記載の発明は、前記ベースは、前記薄肉部より上部が、前記首部と前記蓋部とを切り離す際の摘み部とされており、前記摘み部は、前記ベースの左右方向一端部を残して切り離された後、前記ベースの板面に対して倒された状態で位置決め可能とされたことを特徴とする請求項１に記載の薬液容器である。
【００１０】
請求項２に記載の発明によれば、切り離された摘み部を位置決め可能とすることで、薬液を滴下する際に、摘み部が邪魔にならない。
【００１１】
さらに、請求項３に記載の発明は、前記摘み部は、左右方向他端側の端面が幅広に形成されており、左右方向一端側へ押し込まれて開封されることを特徴とする請求項２に記載の薬液容器である。
【００１２】
請求項３に記載の発明によれば、摘み部の左右方向他端側の端面を左右方向一端側へ指で押し込むことで、摘み部が左右方向一端部を支点として回動しつつ開封される。摘み部は、左右方向他端側の端面が幅広に形成されているため、前述した開封が容易に行える。
【発明の効果】
【００１３】
本発明の薬液容器によれば、従来とは異なる構成とすることで、使用者に対して注意を促して誤用を防止することができる。
【図面の簡単な説明】
【００１４】
【図１】本発明の薬液容器の一実施例を示す正面図である。
【図２】図１の薬液容器の平面図である。
【図３】図１におけるIII−III断面図である。
【図４】図１の薬液容器の斜視図であり、開封した状態を示している。
【図５】本発明の薬液容器の変形例を示す正面図である。
【図６】図５の薬液容器の平面図である。
【図７】図５の薬液容器の縦断面図である。
【図８】図５の薬液容器の上部拡大斜視図であり、開封した状態を示している。
【図９】図５の薬液容器の上部拡大斜視図であり、摘み部が位置決めされた状態を示している。
【図１０】本発明の薬液容器の別の変形例を示す一部を省略した図であり、（ａ）は正面図、（ｂ）は開封した状態を示す正面図である。
【図１１】図１０の薬液容器の一部を省略した斜視図であり、摘み部が位置決めされた状態を示している。
【図１２】本発明の薬液容器のさらに別の変形例を示す正面図であり、開封した後に摘み部を折り返した状態を示している。
【発明を実施するための形態】
【００１５】
以下、本発明の具体的実施例を図面に基づいて詳細に説明する。
図１から図３は、本発明の薬液容器の一実施例を示す図であり、図１は正面図、図２は平面図、図３は図１におけるIII−III断面図である。また、図４は、本実施例の薬液容器の斜視図であり、開封した状態を示している。
【００１６】
本実施例の薬液容器１は、薬液２が収容される中空状の収容部３と、収容部３と連続される首部４を介して収容部３と連接される蓋部５とを備え、それらが板状のベース６に形成されている。本実施例の薬液容器１は、透明とされ、上下長さが約７０〜約９０ｍｍ、左右幅が約１１ｍｍに形成されている。なお、薬液容器１は、上下長さが約６０ｍｍ〜約１２０ｍｍ、左右幅が約１０ｍｍ〜約３０ｍｍに形成されればよく、前述した大きさに限定されるものではない。
【００１７】
本実施例の薬液容器１は、樹脂管（パリソン）がブロー成形により一体的に成形されたものであり、その内部に薬液が充填、密封されている。かかる薬液容器はいわゆるブロー・フィル・シールシステム（ＢＦＳシステム）と称される、容器の成形と薬液の充填、密封を同時に行なうシステムにより製造される。かかるＢＦＳシステムでは、パリソンを金型で挟んだ状態で空気を吹き込んで金型壁面に樹脂を密着させることにより容器を成形する手段（本明細書では、かかる手段を「ダイレクトブロー成形」と呼ぶ）、または金型の各所に孔径０．３ｍｍ程度の細孔を設け、この細孔を通じて金型とパリソンの間の隙間を吸引して真空若しくは減圧状態にして金型壁面に樹脂を密着させることにより容器を成形する手段（本明細書では、かかる手段を「吸引成形」と呼ぶ）を単独で若しくは組み合わせることにより薬液容器が製造される。一般的には、大型〜中型の薬液容器を製造する場合には、ダイレクトブロー成形が主として用いられ、小型の薬液容器を製造する場合には、吸引成形が主として用いられる。
【００１８】
本実施例の薬液容器１は、低密度ポリエチレンからなるパリソンが上述した吸引成形により一体的に成形されたものである。薬液容器１の原料樹脂は、通常の薬液容器に使用される熱可塑性樹脂であれば特に限定されるものではないが、成形の容易性、製造コスト等を考慮すると、例えばポリエチレン、ポリプロピレン、酢酸ビニル共重合体、ポリスチレン、ポリエチレンテレフタレート等を使用することが好ましい。また、これらの原料樹脂は単層でも多層でも使用することができる。
【００１９】
収容部３は、上方へ開口した略楕円形の筒状に形成されている。収容部３の上端部は、テーパ状に絞られており、上方へ行くに従って縮径して形成されている。その際、正面視において、右側の傾斜辺７が、左側の傾斜辺８より傾斜が急に形成されている。これにより、収容部３の上端部開口は、収容部３の左右方向中央部から右側へずれた位置に配置されている。収容部３の底面は、下方へ膨出した緩やかな略球面状に形成されている。なお、収容部３は、薬液２の滴下の便宜を考慮して、薄肉で押圧変形可能に形成されることが好ましい。収容部３内に封入される薬液２は、例えば、ネブライザーに用いられる吸入液とされる。
【００２０】
首部４は、略円筒状とされ、その軸線を上下方向に沿って配置されている。首部４の周側壁の上部は、径方向外側へ断面略三角形状に膨出して形成されている。これにより、首部４の周側壁の上端部は、径方向外側へ行くに従って下方へ傾斜する傾斜部９とされている。首部４は、収容部３の上端部から上方へ突出するように、収容部３と連続している。この際、首部４の内穴は、収容部３の上端部開口を介して、収容部３と連通されている。従って、首部４は、収容部３の左右方向中央部から右側へずれた位置に配置されている。
【００２１】
蓋部５は、下方へ開口した略短円筒状に形成されており、下端部には、径方向内側へ延出して円環状の水平部１０が形成されている。蓋部５は、首部４の上端部開口を閉塞するように、首部４に連接されている。具体的には、蓋部５の水平部１０の内周縁部と、首部４の傾斜部９の上端部とが連接されており、水平部１０と傾斜部９とで断面略Ｖ字状の溝１１が形成されている。この溝１１の最深部は、その他の箇所と比較して十分に薄肉状に形成されている。そのため、溝１１を構成する水平部１０と傾斜部９とは、容易に切り離すことができる。すなわち、蓋部５と首部４との間は、破断可能に連接されている。
【００２２】
ベース６は、上下方向が長手方向とされる略長方形の板状に形成されている。このベース６内に、前述した収容部３、首部４および蓋部５からなる容器部分が、ベース６から前方および後方へ膨出するように形成されている。この際、首部４は、ベース６の左右方向中央部から右側へずれた位置に配置されている。図示例では、前記容器部分は、ベース６の上下方向中央部より若干上部側に形成されている。ベース６は、容器部分よりも上部側と下部側の領域とが、それぞれ前後方向に厚く形成されている。本実施例では、それらの上部側の厚板部１２および下部側の厚板部１３は、中空状に形成されているが、中実状に形成してもよい。
【００２３】
図示例では、厚板部１２は、厚板部１３よりも上下長さが短く形成されているが、これに限定されるものではない。たとえば、厚板部１２の上下長さを長く形成すると共に、厚板部１３の上下長さを短く形成して、図示例とは逆に、厚板部１２を厚板部１３よりも上下方向に長く形成してもよい。厚板部１２を上下方向に長く形成することで、後述する摘み部が持ち易くなり、容器１を開封し易くなる。
【００２４】
ベース６には、線状の薄肉部１４，１４が形成されており、その薄肉部１４，１４によって、ベース６の左右両端辺と、首部４と蓋部５との連接部との間が、ベース６の内、首部４が配置された側の一端部を残して接続されている。本実施例では、一方の薄肉部１４は、ベース６の左端辺における首部４よりも下方の位置から、首部４の下端部にかけて直線状に形成され、そこからは、首部４の外周壁に沿って溝１１の最深部にかけて形成されている。他方の薄肉部１４は、ベース６の右端辺における首部４の下端部と略同一高さ位置から、首部４の外周壁に沿って溝１１の最深部にかけて形成されている。この際、他方の薄肉部１４は、ベース６の右端部を残して形成されている。なお、薄肉部１４の幅は、通常０．１〜１．５ｍｍの範囲が好ましい。
【００２５】
ベース６は、薄肉部１４より上部が、首部４と蓋部５とを切り離す際の摘み部１５とされている。そのため、摘み部１５は、薄肉部１４に沿って切り離すことができる。この摘み部１５は、前述した上部側の厚板部１２を有している。図３に示すとおり、厚板部１２は、その前面および後面が、上下方向中央部が凹んだ緩やかな縦断面略円弧状に形成されているため、指で摘まみ易い。なお、摘み部１５の下端部の前面および後面には、突起物１６が形成されている。この突起物１６は、成形時に薄肉部１４を形成するために、余剰した樹脂を逃がした結果形成された突起状の肉溜まりである。
【００２６】
以上のような構成の薬液容器１は、摘み部１５が、薄肉部１４が形成されていないベース６の右端部を支点として、左側から上方へ引き上げられることで、摘み部１５が薄肉部１４に沿って切り離されると共に、蓋部５が首部４から破断されて開封される。すなわち、摘み部１５の厚板部１２を摘まんで、図１における時計方向へ回動させることで、容器１を開封することができる。前述したように、摘み部１５の厚板部１２を上下方向に長く形成することで、厚板部１２が摘まみ易くなり、摘み部１５を回動し易くなる。なお、摘み部１５の時計方向への回動は、厚板部１２を右側に押し込んでなすこともできる。
【００２７】
容器１を開封する際、薬液２の収容部３を持って開封すると、収容部３を不意に押圧してしまい、薬液２が飛び出るおそれがある。しかしながら、本実施例では、ベース６の下部側に厚板部１３が形成されており、この厚板部１３を持って開封することで、薬液２が不意に飛び出るのを防止することができる。
【００２８】
このようにして、本実施例の薬液容器１は、ねじって開封する従来の容器とは、開封するための構成が全く異なっている。言い換えれば、本実施例の薬液容器１は、首部４がベース６の左右方向中央部から右側にずれて配置されると共に、摘み部１５の右端部が切り離せないようにされているため、従来の容器のように、ねじ切って開封することができない。従って、本実施例の薬液容器１は、使用者に対して、従来の容器とは異なるものであるという印象を与えることができる。
【００２９】
通常、ねじ切って開封する従来の容器は、点眼に用いられる薬液の容器として使用されている。従って、本実施例における吸入液が封入されている場合にも、使用者は、点眼液が封入されていると勘違いしてしまうおそれがあり、点眼してしまうおそれがあった。しかしながら、本実施例の薬液容器１は、従来の容器とは開封する構成が全く異なるため、使用者に対して、内部に封入された薬液２を確認するように注意を促して、誤用を防止することができる。
【００３０】
図５から図７は、本発明の薬液容器の変形例を示す図であり、図５は正面図、図６は平面図、図７は縦断面図である。また、図８および図９は、本変形例の薬液容器の上部拡大斜視図であり、図８は開封した状態、図９は摘み部が位置決めされた状態を示している。本変形例の薬液容器１も、基本的には前記実施例と同様の構成である。そこで、以下においては、両者の異なる点を中心に説明し、対応する箇所には同一の符号を付して説明する。
【００３１】
本変形例の薬液容器１では、摘み部１５の厚板部１２の左方側端面１７が、幅広に形成されている。具体的には、摘み部１５の厚板部１２の前面および後面が、右端部から左方へ行くに従って外方へ傾斜して形成されている。厚板部１２の左方側端面１７は、緩やかな傾斜面とされている。具体的には、厚板部１２の左方側端面１７は、前後方向中央部から前後方向外側へ行くに従って、緩やかに右方へ傾斜して形成されている。これにより、厚板部１２の左方側端面１７は、平面視において、緩やかな三角形状に形成されている。
【００３２】
従って、一方の手で持った状態で、もう一方の手で摘み部１５の厚板部１２の左方側端面１７を右側へ押し込んで、図５における時計方向へ回動させることで、容器１を開封することができる。このようにして、本変形例では、摘み部１５の厚板部１２の左方側端面１７が幅広に形成されているため、左方側端面１７を押し込んで開封し易い。なお、摘み部１５の時計方向への回動は、摘み部１５の厚板部１２を摘まんで、左側から上方へ引き上げることでなすこともできるのはもちろんである。
【００３３】
本変形例の薬液容器１では、収容部３の前方側上端部に、正面視略三角形状の凹部１８が形成されている。図８に示すように、凹部１８は、段差状に形成され、略矩形状の底面１９と、底面１９の右側に形成される略三角形状の立上り面２０と、底面１９の後側に形成される略三角形状の立上り面２１とから構成されている。そして、ベース６の右端部を残して切り離された摘み部１５は、ベース６の前方側へねじられ、左側の下端部が凹部１８の右側の立上り面２０に接触して外側へ弾性変形しつつ、凹部１８内に押し込まれて固定される。このようにして、摘み部１５は、ベース６の板面に対して倒された状態で位置決めすることができる。これにより、薬液２を滴下する際に、摘み部１５が邪魔にならず、滴下し易い。
【００３４】
図１０は、本発明の薬液容器の別の変形例を示す一部を省略した図であり、（ａ）は正面図、（ｂ）は開封した状態を示す正面図である。また、図１１は、図１０の薬液容器の一部を省略した斜視図であり、摘み部が位置決めされた状態を示している。本変形例の薬液容器１も、基本的には前記実施例と同様の構成である。そこで、以下においては、両者の異なる点を中心に説明し、対応する箇所には同一の符号を付して説明する。
【００３５】
本変形例の薬液容器１では、図１０（ａ）に示すように、一方の薄肉部１４は、溝１１の左側の最深部から首部４の上下方向略中央部まで、首部４の外周壁に沿って形成され、そこからは、ベース６の左端辺にかけて略Ｓ字状に形成されている。具体的には、首部４の上下方向略中央部からベース６の左端辺に近づくように下方へ傾斜した後、下方へ若干延出し、そこから収容部３に近づくように下方へ傾斜した後、ベース６の左端辺に近づくように下方へ傾斜し、さらに、そこからベース６の左端辺にかけて上方へ傾斜して形成されている。
【００３６】
他方の薄肉部１４は、溝１１の右側の最深部から首部４の上下方向略中央部まで、首部４の外周壁に沿って形成され、そこからは、首部４から離れるように下方へ若干傾斜した後、下方へ延出して形成されている。この下方への延出部２２は、首部４の右側のベース６において、左右方向略中央部に形成されている。このようにして、溝１１の最深部とベース６の右端辺との間が、ベース６の右端部を残して、他方の薄肉部１４で接続されている。
【００３７】
ところで、摘み部１５の左右の下端部の前面および後面には、突起物１６が形成されている。この突起物１６は、成形時に薄肉部１４を形成するために、余剰した樹脂を逃がした結果形成された突起状の肉溜まりである。
【００３８】
本変形例の薬液容器１によれば、薄肉部１４が形成されていないベース６の右端部を支点として、摘み部１５を図１０における時計方向へ回動させることで、摘み部１５が薄肉部１４に沿って切り離されると共に、蓋部５が首部４から破断されて開封される。これにより、収容部３の左側のベース６に、左斜め上方へ開口した凹部２３が形成される。そして、切り離された摘み部１５は、図１１に示すように、ベース６の前方側へねじられた状態で、左側の下端部２４が凹部２３にはめ込まれて、ベース６に固定される。
【００３９】
このようにして、開封する際に、一方の薄肉部１４に沿って切り離されることで、摘み部１５の左側下端部に係合部２４が形成される一方、ベース６に被係合部（凹部）２３が形成される。そして、摘み部１５がベース６の板面に対して倒された状態で、係合部２４と被係合部２３とが係合されることで、摘み部１５が位置決めされる。
【００４０】
具体的には、本変形例では、係合部２４は、摘み部１５の左側下端部に、右方へ略三角形状に突出して形成される。この係合部２４は、右方へ行くに従って下方へ傾斜した傾斜部２５を有している。一方、被係合部２３は、前述したように、左斜め上方へ開口した凹形状に形成される。この被係合部２３は、左方へ行くに従って上方へ傾斜した傾斜部２６を有している。従って、開封後、摘み部１５がベース６の板面に対して倒された状態で、係合部２４の傾斜部２５と被係合部２３の傾斜部２６とが接触することで、係合部２４と被係合部２３とが係合される。このようにして、摘み部１５は、ベース６の板面に対して倒された状態で位置決めすることができる。これにより、薬液２を滴下する際に、摘み部１５が邪魔にならず、滴下し易い。
【００４１】
さらに、本変形例では、一方の薄肉部１４に沿って切り離されることで、摘み部１５に被係合部２３への係合部がもう一つ形成される。この係合部２７は、蓋部５と前記係合部２４との間に、摘み部１５の内側縁部から右方へ略三角形状に突出して形成される。係合部２７は、右方へ行くに従って下方へ傾斜した傾斜部２８を有している。これは、首部４の上部において、前記傾斜部９よりも下側が、傾斜部９の下端部から下方へ行くに従って先細りとなる略逆円錐台形状に形成されるためである。従って、開封後、摘み部１５がベース６の板面に対して倒された状態で、係合部２７の傾斜部２８と被係合部２３の傾斜部２６とが接触することで、係合部２７と被係合部２３とが係合される。このようにして、摘み部１５は、ベース６の板面に対して倒された状態で位置決めすることができる。
【００４２】
本発明の薬液容器は、前記実施例や前記変形例の構成に限らず、適宜変更可能である。たとえば、前記実施例において、摘み部１５の厚板部１２の左方側端面を幅広に形成してもよい。この場合、片手で持った状態で、厚板部１２の左方側端面を右側へ指で押し込んで、図１における時計方向へ回動させることで、容器１を開封することができる。そして、そのまま片手で薬液２を滴下することができる。すなわち、容器１の開封から薬液２の滴下までを片手で容易に行うことができる。また、前記実施例において、収容部３の前方側上端部に凹部１８を形成して、摘み部１５を位置決め可能としてもよい。
【００４３】
また、前記実施例では、首部４は、収容部３の左右方向中央部から右側へずれた位置に配置されると共に、ベース６の左右方向中央部から右側へずれた位置に配置されたが、これとは逆に、収容部３の左右方向中央部から左側へずれた位置に配置されると共に、ベース６の左右方向中央部から左側へずれた位置に配置してもよい。この場合、ベース６の左右両端辺と、首部４と蓋部５との連接部との間が、ベース６の左端部を残して、線状の薄肉部１４で接続されている。従って、摘み部１５を図１における反時計方向へ回動させることで、容器１を開封することができる。
【００４４】
図５に示す変形例においても、同様にして、摘み部１５を図５における反時計方向へ回動させることで、容器１を開封できる構成としてもよい。この場合、摘み部１５の厚板部１２の右方側端面が、幅広に形成される。これにより、厚板部１２の右方側端面を左側へ指で押し込んで、図５における反時計方向へ回動させることで、容器１を開封することができる。また、図１０に示す変形例においても、同様にして、摘み部１５を図１０における反時計方向へ回動させることで、容器１を開封できる構成としてもよい。
【００４５】
図５に示す変形例では、凹部１８は、収容部３の前方側上端部に形成されたが、収容部３の後方側上端部に形成してもよい。この場合、摘み部１５は、ベース６の右端部を残して切り離された後、ベース６の板面に対して後方側へ倒された状態で、位置決めすることができる。また、図１０に示す変形例において、ベース６の板面に対して後方側へ倒した状態で、位置決めしてもよい。
【００４６】
前記実施例や前記変形例の薬液容器１は、線状の薄肉部を介して、左右方向に複数連接することができる。このようにすれば、多数の薬液容器１を同時に製造することができ、また携帯にも都合が良い。薬液容器１を複数連接する場合には、それぞれの薬液容器１を同一寸法に形成して、薬液容器１の左右側面に破断可能な薄肉部を設けるようにすると、全体が矩形となり、機能性、デザイン性に優れたものとすることができる。
【００４７】
図１２は、本発明の薬液容器のさらに別の変形例を示す正面図であり、開封した後に摘み部を折り返した状態を示している。この図に示すように、本変形例の薬液容器１では、ベース６における収容部３よりも下側の領域よりも、摘み部１５が長く形成されており、摘み部１５は、開封後に折り返されて、収容部３の右側に配置された状態において、薬液容器１の下端部よりも下方へ延出する長さに形成されている。従って、摘み部１５が短い場合、摘み部１５が収容部３の右側に配置された状態を維持できるように持ちながら、薬液を滴下しにくいが、本変形例によれば、摘み部１５が薬液容器１の下端部よりも下方へ延出されるので、前記状態を維持しながら滴下し易い。その他の構成は、図１０に示す変形例と同様のため、説明は省略する。
【００４８】
本変形例では、摘み部１５は、収容部３の右側に配置されるよう折り返されたが、摘み部１５が収容部３と重なるように折り返してもよい。この場合においても、摘み部１５が薬液容器１の下端部よりも下方へ延出されるので、摘み部１５が収容部３に重ねられた状態を維持できるように持ちながら、薬液を滴下し易い。ところで、本変形例では、摘み部１５は、開封後に折り返された際、薬液容器１の下端部よりも下方へ延出する長さとされたが、これに限定されるものではなく、収容部３の下端部より下方へ延出する長さであればよい。
【００４９】
また、前記実施例や前記変形例では、薬液容器１の首部４は、略円筒状とされ、周側壁の上部が断面略三角形状に膨出して形成されたが、この断面略三角形状部のみとしてもよい。すなわち、首部４は、収容部３の上端部から上方へ行くに従って拡径した後、上方へ行くに従って縮径した形状とされる。このように構成することで、収容部３の上端部における液溜まりをより減らすことができ、開封時の薬液の飛び散りをより効果的に防止することができる。また、収容部３は、前記実施例や前記変形例の構成に限定されるものではなく、適宜変更可能とされる。
【００５０】
さらに、前記実施例や前記変形例のように、薬液容器１は、摘み部１５を回動させることで開封することが好ましいが、これに限定されるものではなく、たとえば、摘み部１５をねじることによって開封することもできる。この場合においても、薄肉部１４が形成されない箇所があるため、摘み部１５がねじ切れることがない。
【符号の説明】
【００５１】
１  薬液容器
２  薬液
３  収容部
４  首部
５  蓋部
６  ベース
１４  薄肉部
１５  摘み部
１７  端面
１８  凹部
【図１】
2012066876.tif 000003
【図２】
2012066876.tif 000004
【図３】
2012066876.tif 000005
【図４】
2012066876.tif 000006
【図５】
2012066876.tif 000007
【図６】
2012066876.tif 000008
【図７】
2012066876.tif 000009
【図８】
2012066876.tif 000010
【図９】
2012066876.tif 000011
【図１０】
2012066876.tif 000012
【図１１】
2012066876.tif 000013
【図１２】
2012066876.tif 000014